(57)【要約】【課題】石敷きを施工するべき領域がどのような形状の領域であっても、そこに見栄えのよい石敷きを短時間で（すなわち、施工場所での作業時間を短時間に抑えつつ）施工することができる技術を提供する。【解決手段】まず、石敷きを施工するべき対象領域を複数の区画に区分する。次に、基台２上に、各区画の外縁と一致するような外枠３を配設し、基台２上に配設された外枠３内に複数の石６１を敷き詰めてこれらを一体化させた枠付石敷きパーツ６０を作製する。続いて、枠付石敷きパーツ６０から、外枠３および基台２を取り外して石敷きパーツ６を得る。この石敷きパーツ６を、対象領域の対応する区画に設置する。【選択図】図６
2018053562.tif 000002
【特許請求の範囲】
【請求項１】
石敷きを施工するべき対象領域を複数の区画に区分する区画規定工程と、
基台上に、各区画の外縁と一致するような外枠を配設する外枠配設工程と、
前記基台上に配設された前記外枠内に複数の石を敷き詰めてこれらを一体化させた枠付石敷きパーツを作製する枠付石敷きパーツ作製工程と、
前記枠付石敷きパーツから、前記外枠および前記基台を取り外して石敷きパーツを得る脱型工程と、
前記石敷きパーツを前記対象領域の対応する区画に設置する設置工程と、
を備える、石敷きの施工方法。
【請求項２】
請求項１に記載の石敷きの施工方法であって、
前記複数の石を敷き詰める前に、前記基台上に配設された前記外枠内に金網を敷設する金網敷設工程、
をさらに備える、石敷きの施工方法。
【請求項３】
請求項１または２に記載の石敷きの施工方法であって、
前記複数の石を敷き詰める前に、前記基台上に配設された前記外枠内に、フック部材が着脱自在であるフック取付部とこれが突設されたベース板とを備えるフック受け部材を配設するフック受け部材配設工程、
をさらに備える、石敷きの施工方法。
【請求項４】
石敷きを施工するべき対象領域を複数の区画に区分する区画規定工程と、
基台上に、各区画の外縁と一致するような外枠を配設する外枠配設工程と、
前記基台上に配設された前記外枠内に複数の石を敷き詰めてこれらを一体化させた枠付石敷きパーツを作製する枠付石敷きパーツ作製工程と、
前記枠付石敷きパーツから、前記外枠および前記基台を取り外す脱型工程と、
を備える、石敷きパーツの製造方法。
【請求項５】
外縁の一部に非直線部分が含まれるような対象領域への石敷きの施工に用いられる、複数の石を敷き詰めてこれらを一体化させた石敷きパーツであって、
その形状が、前記対象領域が複数の区画に区分された当該複数の区画のいずれかの形状と一致する、
石敷きパーツ。
【発明の詳細な説明】
【技術分野】
【０００１】
本発明は、庭園や路面等に多数の小石を敷き詰めて成る石敷きを施工する技術に関する。
【背景技術】
【０００２】
石敷きを施工する工法には各種のものが存在する。例えば、形状が同一ではない多数の石を敷き詰めて石敷きを作製する工法は「あられこぼし」とも呼ばれ、日本庭園の造園等に用いられる伝統的な工法の一つである。この工法で作製された石敷きは、同一形状の石を敷き詰めた幾何学的模様を呈する石敷きでは醸すことができない趣のある美観を呈するものとして、人気が高い。
【０００３】
一般に、石敷きの施工には職人の熟練した技術が必要となる。特に、上述したあられこぼしは、１個の石を、先に敷いた石の形に合わせて選択し、はめこみ、必要があれば最小限の面積を削って、石と石の間の目地の美観を保ちつつ当該石の隣に配置してモルタル等で固定する、という作業を、多数の石に対して所定の範囲内で一つずつ行っていくものであり、熟練した職人の高い技術を必要とし、また、その施工範囲が広い場合には非常に長い施工期間が必要となる。
【０００４】
このような石敷きの施工を簡易化するための技術が、従来から各種提案されている。
例えば、特許文献１には、矩形の型枠上に種石を敷き並べ、その上からモルタルを流し込んで打設し、さらに当該モルタル層の上にコンクリートを打設して養生した後脱型し反転して、種石の表面に付着したモルタルを洗い流すことにより表面に種石が露出したブロック材を得ることが記載されている。
【０００５】
多くの場合、施工場所で実際に作業を行うことができる期間には限りがあるところ、このようなブロック材を施工場所とは別のところで予め複数個作製しておき、これを施工場所に運び込んで敷き並べれば、施工場所では短時間で石敷きを形成することが可能となる。
【先行技術文献】
【特許文献】
【０００６】
【特許文献１】特開平７−２９２８４１号公報
【発明の概要】
【発明が解決しようとする課題】
【０００７】
しかしながら、特許文献１の技術においては、予め作製されるブロック材の形状が一律に矩形である。したがって、この技術は、石敷きを施工するべき領域が該矩形の倍数形状である場合にしか功を奏さない。すなわち、外縁の一部に曲線が含まれるような領域に対して石敷きを施工する場合は、当該曲線に沿うように矩形のブロック材を切断する作業を施工場所で行わなければならず、施工場所での作業時間が短くなるというこの技術本来のメリットを損なうこととなってしまう。また、矩形のブロックの一部分を切断して敷設すると、当該ブロック材に配設されている種石の一部が不自然に切断された格好となり、見栄えも悪くなってしまう。
【０００８】
本発明が解決しようとする課題は、石敷きを施工するべき領域がどのような形状の領域であっても、そこに見栄えのよい石敷きを短時間で（すなわち、施工場所での作業時間を短時間に抑えつつ）施工することができる技術を提供することである。
【課題を解決するための手段】
【０００９】
上記課題を解決するために成された本発明に係る石敷きの施工方法は、
石敷きを施工するべき対象領域を複数の区画に区分する区画規定工程と、
基台上に、各区画の外縁と一致するような外枠を配設する外枠配設工程と、
前記基台上に配設された前記外枠内に複数の石を敷き詰めてこれらを一体化させた枠付石敷きパーツを作製する枠付石敷きパーツ作製工程と、
前記枠付石敷きパーツから、前記外枠および前記基台を取り外して石敷きパーツを得る脱型工程と、
前記石敷きパーツを前記対象領域の対応する区画に設置する設置工程と、
を備える。
【００１０】
この構成においては、石敷きを施工するべき対象領域を複数の区画に区分して、各区画の形状と一致する形状の石敷きパーツを作製し、各石敷きパーツを対応する区画に設置することによって対象領域の全体に石敷きを施工する。したがって、対象領域がどのような形状の領域であったとしても、見栄えのよい石敷きを施工することができる。また、各区画の石敷きパーツを施工場所（対象領域）とは別の場所で予め作製しておけば、施工場所では、これらを運び込んで敷き並べる作業だけで済むので、施工場所での作業時間を短時間に抑えることができる。
【００１１】
好ましくは、前記石敷きの施工方法において、
前記複数の石を敷き詰める前に、前記基台上に配設された前記外枠内に金網を敷設する金網敷設工程、
をさらに備える。
【００１２】
この構成によると、石敷きパーツの内部に、金網が石敷きパーツに平行に固定されることになる。これによって、一般に面積に対して厚さが小さい石敷きパーツの強度を高めることができる。
【００１３】
好ましくは、前記石敷きの施工方法において、
前記複数の石を敷き詰める前に、前記基台上に配設された前記外枠内に、フック部材が着脱自在であるフック取付部とこれが突設されたベース板とを備えるフック受け部材を配設するフック受け部材配設工程、
をさらに備える。
【００１４】
この構成においては、例えば、石敷きパーツ作製工程で外枠内に複数の石を敷き詰める際に、フック取付部がある場所には石を敷くが固定せずに取り外しておく。そして当該フック取付部が石の間から露出した状態としておき、それらを一体化する。そして、必要なとき（例えば、石敷きパーツをトラックへ積み卸しする際、また、石敷きパーツを対象領域へ設置する際）に、当該フック取付部にフック部材を取り付ける。こうすると、石敷きパーツからフック部材が突出した状態が形成され、これをクレーン等で引っ掛けて、石敷きパーツを吊り上げることができる。したがって、石敷きパーツを傷つけることなく、簡易かつ安全にこれを持ち上げて、例えばトラックあるいは運搬用の棚への積み卸し、対象領域への設置等を行うことができる。
また、フック部材が不要なときはこれをフック基台から取り外しておけば、フック部材が邪魔になることがない。例えば、石敷きパーツをトラックあるいは運搬用の棚に積載した後、フック部材をフック取付部から取り外しておくことで、荷台に複数の石敷きパーツを重ねて積むことが可能となり、搬送効率を高めることができる。
なお、石敷きパーツを対象領域に設置した後は、フック取付部が露出している場所に石をはめこんで、フック取付部を隠せばよい。
【００１５】
金網配設工程とフック受け部材配設工程の両方が行われる場合、フック受け部材のベース板を、その少なくとも一辺が金網の格子間隔よりも大きい寸法のものとして、ベース板を金網の下側に配設する。
この構成によると、ベース板が金網の下に引っ掛かる格好でフック受け部材が石敷きパーツに固定されるので、石敷きパーツを吊り上げたときにフック受け部材が石敷きパーツから外れてしまうといった事態を確実に回避できる。
【００１６】
また、本発明は、石敷きの施工に用いられる石敷きパーツの製造方法も対象としている。当該石敷きパーツの製造方法は、
石敷きを施工するべき対象領域を複数の区画に区分する区画規定工程と、
基台上に、各区画の外縁と一致するような外枠を配設する外枠配設工程と、
前記基台上に配設された前記外枠内に複数の石を敷き詰めてこれらを一体化させた枠付石敷きパーツを作製する枠付石敷きパーツ作製工程と、
前記枠付石敷きパーツから、前記外枠および前記基台を取り外す脱型工程と、
を備える。
【００１７】
また、本発明は、石敷きの施工に用いられる石敷きパーツも対象としている。当該石敷きパーツは、
外縁の一部に非直線部分が含まれるような対象領域への石敷きの施工に用いられる、複数の石を敷き詰めてこれらを一体化させた石敷きパーツであって、
その形状が、前記対象領域が複数の区画に区分された当該複数の区画のいずれかの形状と一致する。
【発明の効果】
【００１８】
この発明によると、石敷きを施工するべき対象領域を複数の区画に区分して、各区画の形状と一致する石敷きパーツを別の場所で作製し、その後、各石敷きパーツを対応する区画に設置することによって対象領域の全体に石敷きを施工する。したがって、対象領域がどのような形状の領域であったとしても、見栄えのよい石敷きを施工することができる。また、各区画の石敷きパーツを別の場所で予め製造しておけば、施工場所（対象領域）では、これらを運び込んで敷き並べる作業だけで済むので、施工場所での作業時間を短時間に抑えることができる。
【図面の簡単な説明】
【００１９】
【図１】実施形態に係る石敷きの施工方法の流れを示す図。
【図２】第１工程を説明するための図。
【図３】外枠を配設する態様を説明するための図。
【図４】金網を配設する態様を説明するための図。
【図５】フック受け部を配設する態様を説明するための図。
【図６】外枠内に複数の石が敷き詰められた状態を示す図。
【図７】脱型された石敷きパーツを示す図。
【図８】第３工程を説明するための図。
【発明を実施するための形態】
【００２０】
以下、添付の図面を参照しながら、本発明の実施形態について説明する。以下の実施形態は、本発明を具体化した一例であって、本発明の技術的範囲を限定するものではない。
【００２１】
＜全体の流れ＞
実施形態に係る石敷きの施工方法の全体の流れについて、図１を参照しながら説明する。図１は、当該施工方法の流れを示す図である。
【００２２】
当該施工方法は、石敷きを施工するべき対象領域１（図８参照）を複数の区画１１に区分する工程（第１工程Ｓ１）と、第１工程Ｓ１で規定された複数の区画１１の各々に対応する石敷きパーツ６を作製する工程（第２工程Ｓ２）と、第２工程Ｓ２で作製された各石敷きパーツ６を対象領域１の対応する区画１１に設置する工程（第３工程Ｓ３）と、を備える。
ただし、対象領域１は、外縁の一部に非直線部分が含まれるような領域であり、図示の例では、外縁の全体が非直線（曲線状）の領域である。
【００２３】
以下に明らかになるように、この施工方法によると、第１工程Ｓ１および第２工程Ｓ２を施工場所とは別の場所で行うことが可能であり、施工場所では第３工程Ｓ３を行うだけで済む。多くの場合、施工場所で実際に作業を行うことができる期間には限りがあるところ、この施工方法によると、施工場所での作業時間を短時間に抑えることが可能となる。
以下において、工程Ｓ１〜工程Ｓ３のそれぞれについて具体的に説明する。
【００２４】
＜第１工程Ｓ１＞
石敷きを施工するべき対象領域１を複数の区画１１に区分する工程（第１工程Ｓ１）について、図２を参照しながら説明する。図２は、第１工程Ｓ１を説明するための図である。
【００２５】
まず、対象領域１が所定の縮尺で表された設計図面９を準備する。そして、この設計図面９上に、後述する基台２に相当する領域（すなわち、基台２を設計図面９の縮尺で表した領域であり、以下「単位領域」とも呼ぶ）９２を規定し、当該単位領域９２を、設計図面９上の対象領域９１に重なるように並べていき、当該対象領域９１の全体が、当該並べられた一群の単位領域９２によってカバーされるような状態を形成する（図２に示される状態）。なお、各単位領域９２は、隣の単位領域９２との間に僅かな隙間（例えば、数個分の石のサイズに相当する隙間）を設けつつ並べられてもよいし、このような隙間が設けられずに隣の単位領域９２と接するように並べられてもよい。
そして、各単位領域９２と対象領域９１が重なる領域を、１個の区画９１１とする。図２の例では、対象領域９１の全体が４個の単位領域９２によってカバーされているので、対象領域９１は４個の区画９１１に区分されることになる。
【００２６】
このように設計図面９上で、対象領域９１を、単位領域９２を用いて複数の区画９１１に区分することで、実際の対象領域１を、基台２の寸法に応じた複数の区画１１に区分したことになる（図８参照）。
【００２７】
なお、単位領域９２を設計図面９上に並べる際には、実際の対象領域１における勾配の変化点が、単位領域９２間の境界にくるように考慮しておくことが好ましい。後に明らかになるように、対象領域１における単位領域９２間の境界に相当する部分は、第３工程Ｓ３において施工場所で石６１が敷き詰められることになるところ、対象領域１における勾配の変化点が単位領域９２間の境界に相当していれば、そこに施工場所で実際の勾配の変化に応じる形で石敷きを形成することができるからである。
【００２８】
また、対象領域１内に、樹木や外灯等の設置物が設置される予定の領域１２が規定されている場合（図８参照）、設計図面９上で当該領域１２に対応する領域９１２が、複数の単位領域９２で挟み込まれるように考慮しておくことも好ましい。こうしておけば、石敷きパーツ６を設置するより先に当該領域１２に設置物（例えば背の高い設置物）が設置されたとしても、当該設置物を傷つけることなく石敷きパーツ６を比較的容易に設置することができる。
【００２９】
また、第１工程Ｓ１で規定される単位領域９２のサイズ（すなわち、基台２のサイズであり、ひいては、石敷きパーツ６のサイズ）が大きいほど、第３工程Ｓ３に要する作業時間（すなわち、施工場所での作業時間）を短くすることができる。ただし、石敷きパーツ６のサイズが大きくなると、その搬送にかかる労力も大きくなる。したがって、搬送にかかる労力と施工場所での作業時間のバランスを考慮して、基台２のサイズを決定することが好ましい。例えば、石敷きパーツ６を大型トラックに積載して搬送する場合、基台２の短辺の幅が約１００cm以下であればトラックの荷台に石敷きパーツ６を２列並べて積載することが可能となり、搬送効率が高まる。したがって、基台２は、その短辺の幅が１００cm程度のものであることが好ましい。具体的には例えば、一般に流通している１８０cm×９０cmのコンパネ（コンクリートパネル）を基台２として用いることが好ましい。一般に流通しているコンパネを基台２として用いればコストを低く抑えられるという利点も得られる。
【００３０】
＜第２工程Ｓ２＞
第１工程Ｓ１で規定された複数の区画１１の各々に対応する石敷きパーツ６を作製する工程（第２工程Ｓ２）について、再び図１を参照しながら説明する。
【００３１】
工程Ｓ２１：まず、所定の基台２を準備する。この基台２は、その上面に枠付石敷きパーツ６０が形成される板部材である。基台２の形状および寸法はどのようなものであってもよいが、上述したとおり、一般に流通している１８０cm×９０cmのコンパネを基台２として用いることが好ましい。
【００３２】
工程Ｓ２２：続いて、基台２上に、区画１１の外縁と一致するような外枠３を配設する。外枠３を配設する方法について、図３を参照しながら説明する。図３は、外枠３を配設する態様を説明するための図である。
【００３３】
工程Ｓ２２１：まず、第１工程Ｓ１で設計図面９上に規定された各単位領域９２の部分を設計図面９から切り出し、これを例えばコピー機の拡大機能を用いて原寸大（すなわち、基台２の原寸サイズ）まで拡大する。そして、当該原寸大に拡大した単位領域（以下「原寸単位領域」とも呼ぶ）８を、基台２上に重ねて置く。なお、図の例では、１枚の紙で１個の原寸単位領域８が形成されているが、複数の紙が並べられることにより１個の原寸単位領域８が形成されてもよい。
【００３４】
工程Ｓ２２２：原寸単位領域８には、対象領域１の外縁の一部分が原寸大で示されており、当該外縁の一部分（以下「対象領域外縁部分」とも呼ぶ）８１と、基台２の周縁の一部分８２で囲まれる領域によって、基台２上に原寸大の区画８０が規定される。なお、基台２上に規定される原寸大の区画８０の外縁のうち、基台２の周縁により形成される部分８２は、隣の区画１１との境界に相当する部分であり、以下当該部分を「境界部分８２」とも呼ぶ。つまり、基台２上に規定される原寸大の区画８０の外縁は、対象領域外縁部分８１と境界部分８２が連なることによって形成されている。
【００３５】
なお、ここでは、単位領域９２の全体を原寸大に拡大した原寸単位領域８を基台２上に重ね置くことで基台２上に対象領域外縁部分８１を規定しているが、単位領域９２のうち対象領域１の外縁が現れている部分のみを切り出してこれを原寸大に拡大したものを基台２上に重ねて置くことで基台２上に対象領域外縁部分８１を規定してもよい。
【００３６】
工程Ｓ２２３：次に、境界部分８２に沿って第１枠部材３１を立設する。境界部分８２は基台２の周辺に沿う直線状の部分であるので、真っ直ぐな板状部材を第１枠部材３１として用いることができる。この第１枠部材３１を、境界部分８２（すなわち、境界部分８２に相当する基台２の周縁の一部分）に沿って配置して、これを基台２の裏面側からネジなどで固定することで、基台２上に第１枠部材３１を立設することができる。
【００３７】
上述したとおり、対象領域１は外縁の一部に非直線部分が含まれるような領域であるので、対象領域外縁部分８１は曲線状となる場合がある。曲線状の対象領域外縁部分８１に沿う枠部材（第２枠部材３２）は、例えば次のように立設することができる。
【００３８】
工程Ｓ２２４：まず、対象領域外縁部分８１と境界部分８２の交点において、第１枠部材３１を切断する。このとき、切断面を、当該交点における対象領域外縁部分８１の曲率に一致するようなものとしておくことが好ましい。
【００３９】
工程Ｓ２２５：次に、対象領域外縁部分８１に沿って第２枠部材３２を立設する。上述したとおり、対象領域外縁部分８１は曲線状であることが多いので、任意の形状に曲げることができるような薄肉の板状部材を第２枠部材３２として用いることが好ましい。この第２枠部材３２を、対象領域外縁部分８１に沿うように配置し、その各端部において第１枠部材３１の切断面にネジなどで固定するとともに、延在途中の複数個所において、固定部材３２１を介して、基台２に対してネジなどで固定する。
【００４０】
以上の工程Ｓ２２１〜工程Ｓ２２５によって、基台２上に、原寸大の区画８０の外縁に沿うような（すなわち、区画１１の外縁と一致するような）外枠３が配設される。
【００４１】
なお、出来上がった石敷きパーツ６が対象領域１に設置されたときに、石敷きパーツ６の端部同士、もしくは現場の設置場所と石敷きパーツ６が、山型の稜線において接触することが予想される場合には、あらかじめ当該接触する部分に対応する外枠３の部分に、クッション材（例えば、細長い発泡スチロール）を配設しておくことが好ましい。なお、このクッション材は、後述する脱型（工程Ｓ２７）の後に石敷きパーツ６から外しておく。こうしておくと、出来上がった石敷きパーツ６において、このようなクッション材が設けられていた部分は側面が内側に入り込んだ形状となるので、出来上がった石敷きパーツ６が対象領域１に設置されたときに、当該接触する部分を上から見た際に隙間ができることが回避される。
【００４２】
再び図１を参照する。
工程Ｓ２３：基台２上に外枠３が配設されると、続いて、当該外枠３内に金網４を敷設する。具体的には、図４に示すように、まず、外枠３で囲まれる領域よりも十分に大きな金網４０を準備し、これを当該領域に重なるように基台２上に配置する。そして、外枠３の外側にはみ出している金網４０の部分を切り落とす。これによって、外枠３に囲まれた領域に収まるような金網４が得られる。得られた金網４を、基台２上であって外枠３で囲まれた領域内に敷設する。
なお、後に明らかになるように、第１枠部材３１に対しては、これとの間に僅かな隙間が残るように石敷きが形成されることになるので、第１枠部材３１に沿う部分は金網４０を深めに切り落としておくことが好ましい。
【００４３】
この金網４として、具体的には例えば、金属の線材を格子状に配置して交点を溶接したもの（所謂、溶接金網）を使用することができる。線材の径および格子間隔は、例えば、石敷きに使用する石６１のサイズ、あるいは、基台２のサイズに応じて選択することが好ましい。例えば、比較的大きな石６１、あるいは、比較的大きな基台２を使用する場合、石６１自体の底部が金網４に干渉しないように、金網４は、線材の径が比較的大きく（例えば、直径６mm程度）、格子間隔も比較的大きい（例えば、１５０mm程度）ものを使用する。また、比較的小さな石６１、あるいは、比較的小さな基台２を使用する場合、金網４は、線材の径が比較的小さく（例えば、直径３．２mm程度）、格子間隔も比較的小さい（例えば、５０mm程度）ものであることが好ましい。
【００４４】
工程Ｓ２４：金網４が敷設されると、続いて、基台２上に配設されている外枠３内（具体的には、基台２と金網４の間）に、フック受け部材５を配設する。具体的には、基台２上に配設されている金網４を一旦持ち上げて、これと基台２上の所定位置に１個以上のフック受け部材５を配設してから、再び金網４を元の位置に戻す。これによって、図５（ａ）に示されるように、基台２と金網４の間に１個以上のフック受け部材５が挟み込まれた状態となる。
【００４５】
ただし、フック受け部材５は、フック部材５０を着脱自在に取り付けることができる部材であり、具体的には例えば、図５（ｂ）に示されるように、薄い板状の部材であるベース板５１と、その上面の中央に突設された、フック部材５０が着脱自在であるフック取付部５２とから構成される。フック部材５０は、具体的には例えば、一端がリング状（あるいは、弧状）であるとともに他端がネジ状に形成されたものであり、この場合、フック取付部５２は、当該ネジ状の部分と螺合するボルトにより形成される。この構成においては、フック部材５０のネジ状の部分をフック取付部５２に螺合させることによって、フック受け部材５にフック部材５０を取り付けることができる。また、フック部材５０が必要ないときはこれをフック受け部材５から取り外しておくことができる。
なお、ベース板５１は、少なくとも一辺が金網４の格子間隔よりも大きいものであればよく、厚みは薄い方が好ましい。また、フック取付部５２は、その高さ寸法が十分小さい（好ましくは、１cm〜３cm程度）であることが好ましい。
【００４６】
工程Ｓ２５：フック受け部材５が配設されると、続いて、基台２上に配設された外枠３内にモルタルを配設してその上に複数の石６１を敷き詰めていく。複数の石６１を敷き詰める態様はどのようなものであってもよい。例えば、あられこぼしで石敷きを作製する場合、１個の石６１を、先にモルタル上に敷いた石６１の形に合わせて選択し、はめこみ、必要があれば最小限の面積を削って、石６１と石６１の間の目地の美観を保ちつつ当該先に敷いた石６１の隣に配置し、モルタル等で固定する、という作業を、形状が同一ではない多数の石６１に対して一つずつ行って、図６に示すように、外枠３内の全体に複数の石６１が敷き詰められた状態とする。もっとも、複数の石６１は、あられこぼし以外の態様で敷き詰められてもよい。
【００４７】
ただしここで、第２枠部材３２（すなわち、対象領域外縁部分８１）に対しては、これとの間に隙間ができないように石敷きを形成する。一方、第１枠部材３１（すなわち、境界部分８２）に対しては、これとの間に僅かな隙間（例えば、幅が石１個分程度の隙間）が残るように石敷きを形成する。
【００４８】
また、フック受け部材５におけるフック取付部５２が配置されている位置に配置されるべき石６１は、当該石６１を敷いた後、これを固定せずに取り外して別で保管しておき、この段階ではフック取付部５２が石６１で塞がれずに露出するようにしておく。後に明らかになるように、当該別で保管されていた石６１は、フック部材５０をフック受け部材５に取り付ける必要がなくなってから、当該位置に固定されることになる。
【００４９】
工程Ｓ２６：外枠３内に複数の石６１が敷き詰められると、その状態で数日間放置（養生）して、モルタルを十分に固化させる。モルタルが固化することによって、その上に敷き詰められた多数の石６１が一体化し、これによって枠付石敷きパーツ６０が得られる。
また、モルタルが固化することによって、枠付石敷きパーツ６０の内部に、金網４およびフック受け部材５が固定される。すなわち、金網４は、枠付石敷きパーツ６０（ひいては、石敷きパーツ６）と平行な姿勢で枠付石敷きパーツ６０（ひいては、石敷きパーツ６）に固定される。また、フック受け部材５は、枠付石敷きパーツ６０の石６１の間からフック取付部５２が露出するような格好で、枠付石敷きパーツ６０（ひいては、石敷きパーツ６）に固定される。
石敷きパーツ６に金網４が固定されることによって、石敷きパーツ６の強度を高めることができる。具体的には例えば、石敷きパーツ６は一般に面積に対して厚さが小さいために運搬時等に壊れやすいところ、石敷きパーツ６に金網が固定されることによって、運搬時等に石敷きパーツ６が壊れにくくなる。また、石敷きパーツ６が対象領域１に設置された状態において、外部の衝撃に対する強度（耐久性）も高くなる。
【００５０】
工程Ｓ２７：モルタルが十分に固化した後、枠付石敷きパーツ６０から、基台２と外枠３を取り外して石敷きパーツ６を得る（図７）。なお、基台２および外枠３が取り外された石敷きパーツ６は、そこから石６１が脱落して紛失してしまうといった事態を回避するべく、ラップフィルム等で包み込んでおくことが好ましい。
【００５１】
以上の工程Ｓ２１〜工程Ｓ２７によって、その形状が、１個の区画１１の形状と一致する石敷きパーツ６が得られる。ただし、ここで言う「形状が一致する」とは、具体的には、石敷きパーツ６の外縁の少なくとも一部分が、区画１１の外縁の少なくとも一部分の形状と一致することを指す。
上述したとおり、対象領域１は外縁の一部に非直線部分が含まれるような領域であるので、区画１１の外縁の少なくとも一部分が非直線部分となる場合がある。この場合、石敷きパーツ６は、外縁に非直線部分を含む形状となる。
ここでは、第１工程Ｓ１で規定された複数の区画１１の全てについて工程Ｓ２１〜工程Ｓ２７を行って、複数の石敷きパーツ６を作製する。なお、各石敷きパーツ６を製造する際に、それぞれに各区画１１と対応する識別番号等を付与しておくことで、確実な品質管理を行うことができる。
【００５２】
＜第３工程Ｓ３＞
第２工程Ｓ２で作製された各石敷きパーツ６を対象領域１の対応する区画１１に設置する工程（第３工程Ｓ３）について、図８を参照しながら説明する。図８は、第３工程を説明するための図である。
【００５３】
第２工程Ｓ２が施工場所（すなわち、対象領域１）とは別の場所で行われた場合、第２工程Ｓ２の後、第３工程Ｓ３に先だって、作製された複数の石敷きパーツ６（すなわち、区画１１の個数と同数個の石敷きパーツ６）を、施工場所まで搬送する必要がある。
ここで、上述したとおり、石敷きパーツ６にはフック受け部材５が設けられており、石６１の間からフック取付部５２が露出した状態となっている。そこで、ここにフック部材５０を取り付ける。こうすると、石敷きパーツ６からフック部材５０が突出した状態が形成され、フック部材５０をクレーンのフックで引っ掛けて、石敷きパーツ６を水平姿勢で吊り上げることができる。したがって、石敷きパーツ６を傷つけることなく、簡易かつ安全にこれを持ち上げて、例えばトラックあるいは運搬用の棚に対する積み卸しを行うことができる。ここで、「運搬用の棚」とは、具体的には例えば、四隅において支柱に固定された水平な棚板（好ましくは、基台２よりも一回り大きな形状、あるいは、基台２の倍数形状であるような棚板）が、垂直方向に複数個配列された多段の棚であり、好ましくは、各段に複数の石敷きパーツ６を積み重ねて（および／または、並置して）載置できるようになっている。この運搬用の棚に複数の石敷きパーツ６を収容しておいて、当該複数の石敷きパーツ６が収容された運搬用の棚をトラックに対して積み卸しすることで、トラックに対する石敷きパーツ６の積み卸しを効率的に行うことができる。もっとも、このような運搬用の棚の使用は必須ではなく、石敷きパーツ６をトラックに対して直接に積み卸ししてもよい。
石敷きパーツ６をトラックあるいは運搬用の棚に積載した後は、フック部材５０をフック取付部５２から取り外しておく。こうすることで、トラックの荷台、あるいは、運搬用の棚の各段に複数の石敷きパーツ６を重ねて積むことが可能となり、搬送効率を高めることができる。
【００５４】
複数の石敷きパーツ６が施工場所（対象領域１）に到着すると、各石敷きパーツ６を対象領域１の対応する区画１１に設置する（図８）。このときも、トラックあるいは運搬用の棚へ積み卸しの際と同様、石敷きパーツ６のフック取付部５２にフック部材５０を取り付けて、これを、例えば三又に吊り下げたレバーブロック（登録商標）のフックで引っ掛けて、石敷きパーツ６を水平姿勢で吊り上げて、これを目標とする区画１１に設置すればよい。
【００５５】
各石敷きパーツ６が対応する区画１１に設置されると、続いて、石敷きパーツ６間の隙間に石６１を敷き詰めていく。すなわち、上述したとおり、石敷きパーツ６は、第１枠部材３１（すなわち、境界部分８２）との間に僅かな隙間（例えば、幅が石１個分程度の隙間）が残るようにして石６１が敷かれているので、各石敷きパーツ６を対応する区画１１に設置したときに、各区画１１の境界に相当する部分に石数個分程度の隙間が形成されることになる。そこで、この段階で、当該隙間に石６１を敷き詰めていく。
また、石敷きパーツ６を区画１１に設置した後は、フック部材５０をフック取付部５２から取り外し、さらに、フック取付部５２が露出している位置に、別で保管しておいた石６１をはめこんで固定して、フック取付部５２を隠す。
【００５６】
以上の作業が行われることによって、対象領域１の全体に、多数の石６１が敷き詰められた状態が形成される。すなわち、対象領域１の全体に石敷き６００が形成される。
【００５７】
上記の実施形態によると、石敷きを施工するべき対象領域１を複数の区画１１に区分して、各区画１１の形状と一致する石敷きパーツ６を作製し、各石敷きパーツ６を対応する区画１１に設置することによって対象領域１の全体に石敷き６００を施工する。したがって、対象領域１がどのような形状の領域であったとしても、見栄えのよい石敷き６００を施工することができる。また、各区画１１の石敷きパーツ６を施工場所（対象領域１）とは別の場所で予め製造しておけば、施工場所では、これらを運び込んで敷き並べる作業だけで済むので、施工場所での作業時間を短時間に抑えることができる。
【００５８】
形状が区画１１と一致するような石敷きパーツ６を製造する方法は、上記の実施形態にて例示したものに限らない。例えば、区画１１の形状と一致するような枠３を作成せずに、例えば、基台２上に原寸単位領域８を重ねておき、基台２上に規定される原寸大の区画８０の外縁を目視で確認しながら、当該外縁の内側に石６１を敷いても良い。
【符号の説明】
【００５９】
１…対象領域
１１…区画
２…基台
３…外枠
３１…第１枠部材
３２…第２枠部材
３２１…固定部材
４…金網
５…フック受け部材
５１…ベース板
５２…フック取付部
５０…フック部材
６…石敷きパーツ
６１…石
６０…枠付石敷きパーツ
６００…石敷き
８…原寸単位領域
８１…対象領域外縁部分
８２…境界部分
９…設計図面
９１…設計図面上の対象領域
９１１…設計図面上の区画
９２…単位領域
【図１】
2018053562.tif 000003
【図２】
2018053562.tif 000004
【図３】
2018053562.tif 000005
【図４】
2018053562.tif 000006
【図５】
2018053562.tif 000007
【図６】
2018053562.tif 000008
【図７】
2018053562.tif 000009
【図８】
2018053562.tif 000010